(57)【要約】      （修正有）【課題】写真プリント費用を広告主が少なくても一部負担することができるとともに、プリント依頼者の個人情報と画像属性情報及び非画像情報を組み合わせる事により広告対象者を絞った適切な広告付画像を提供する。【解決手段】複数の広告からなる広告群から、撮影者乃至は鑑賞者の個人情報と、画像の内容に関わる分類可能な画像属性情報と、画像の内容と無関係な情報と、広告を提供する広告主の要望情報とに基づいて前記広告群の内から広告を選択し、前記選択された広告を前記画像に付加する。【選択図】  図１
2007322879.tif 000002
【特許請求の範囲】
【請求項１】
撮影者によって撮影された写真を含む画像に広告を付加する広告付加装置で、撮影者乃至は観察者の個人情報と、前記画像を分類した画像分類情報と、撮影時に検出された非画像関連情報と、広告を提供する広告主の要望情報とに基づいて複数の広告からなる広告群の内から適した広告を選択し、前記選択された広告を前記画像に付加する広告付加装置。
【請求項２】
前記画像分類情報は、撮影前または撮影後に写真そのものを分類する撮影前後に設定される情報であり、前記非画像関連情報は、ＧＰＳ情報、撮影日、明るさ等の撮影時に検出される情報である請求項１に記載の広告付加装置。
【請求項３】
撮影者によって撮影された写真を含む画像に広告を付加する広告付加方法で、撮影者乃至は観察者の個人情報を取得するステップと、前記画像を分類した画像分類情報を取得するステップと、撮影時に検出された非画像関連情報を取得するステップと、広告を提供する広告主の要望情報を取得するステップと、前記個人情報と前記画像分類情報と前記撮影時に検出された非画像関連情報と前記要望情報に基づいて前記複数の広告の中から少なくとも１つの広告を選択するステップと、前記選択された広告を前記画像に付加するステップと、を有する広告を画像に付加する広告付加方法。
【請求項４】
前記画像分類情報は、撮影前または撮影後に写真そのものを分類する撮影前後に設定される情報であり、前記非画像関連情報は、ＧＰＳ情報、撮影日、明るさ等の撮影時に検出される情報である請求項３に記載の広告付加方法。
【請求項５】
撮影者によって撮影された写真を含む画像に広告が付加される広告付き画像で、前記撮影者乃至は観察者の個人情報と、前記画像を分類した画像分類情報と、撮影時に検出された非画像関連情報と、広告を提供する広告主の要望情報とに基づいて前もって記憶された広告群の内から広告を選択し、前記選択された広告が付加される広告付き画像。
【請求項６】
前記画像分類情報は、撮影前または撮影後に写真そのものを分類する撮影前後に設定される情報であり、前記非画像関連情報は、ＧＰＳ情報、撮影日、明るさ等の撮影時に検出される情報である請求項５に記載の広告付き画像。
【発明の詳細な説明】
【技術分野】
【０００１】
本発明は、写真を含む画像に広告を付加する装置及び撮影者乃至は写真を観察する観察者と広告主の双方に利する広告付加方法、広告付き画像に関し、特に広告主からの広告を大量に出回る写真を含む画像に付加し、更に、写真のプリント及び画像の処理に関する費用を広告主が少なくとも一部を負担するようにした広告付加装置、広告付加方法並びに広告付き画像に関する。
【背景技術】
【０００２】
従来、撮影者が撮影した画像を解析して画像情報を得、その画像情報に適切な広告を選択して写真に付加する方法について知られている（例えば特許文献１）。
また、撮影者がプリント依頼時にアンケート用紙に記載した撮影者情報に基づいて複数の広告を記憶するデータベースから適合する広告を選択し、写真プリントに付加し、広告主が写真プリントに関する費用を少なくとも一部負担する広告付写真プリントの製造方法は知られている（例えば特許文献２）。
【０００３】
【特許文献１】特開２００２−１５２２０
【特許文献２】特開２００４−１７７７２７
【発明の開示】
【発明が解決しようとする課題】
【０００４】
上述の特許文献１では、撮影者が撮影した画像を解析して画像情報を得るものである。この画像情報だけでは、正確な被写体の情報が得られるものでないし、技術的に大変困難な技術で、大掛かりな装置が必要となる。
特許文献２では、撮影者が写真を撮ってプリントを依頼する場合に依頼時にアンケート用紙に撮影者が記載した情報、例えば、撮影者の性別、年齢、家族構成、職種、地域、趣味に基づいて付加した広告である。その広告の内容に適した画像でないこともあり、また、写真は撮影者自身のための写真ではなく、例えばその写っている人に提供する場合もあるし、例えばかわいいネコの写真などネコ愛好家である人に送る場合もある。そのときに提供される側に立った広告でないと好ましい広告と言えずに広告をした割には広告主を喜ばすことなく、広告の効果が出ないので広告主を失望させる場合もあった。
【０００５】
本発明は、このような従来の構成が有していた問題を解決しようとするものであり、写真を提供される撮影者乃至は観察者に適した広告を選択し、広告主を失望させない広告付写真プリント装置を提供するものである。
【課題を解決するための手段】
【０００６】
本発明は、撮影者によって撮影された写真を含む画像に広告を付加する広告付加装置で、撮影者乃至は観察者の個人情報と、前記画像を分類した画像分類情報と、撮影時に検出された非画像関連情報と、広告を提供する広告主の要望情報とに基づいて複数の広告からなる広告群の内から適した広告を選択し、前記選択された広告を前記画像に付加する広告付加装置を提供することにある。
【０００７】
本発明は、撮影者によって撮影された写真を含む画像に広告を付加する広告付加方法で、撮影者乃至は観察者の個人情報を取得するステップと、前記画像を分類した画像分類情報を取得するステップと、撮影時に検出された非画像関連情報を取得するステップと、広告を提供する広告主の要望情報を取得するステップと、前記個人情報と前記画像分類情報と前記撮影時に検出された非画像関連情報と前記要望情報に基づいて前記複数の広告の中から少なくとも１つの広告を選択するステップと、前記選択された広告を前記画像に付加するステップと、を有する広告を画像に付加する広告付加方法を提供することにある。
【０００８】
本発明は、撮影者によって撮影された写真を含む画像に広告が付加される広告付き画像で、前記撮影者乃至は観察者の個人情報と、前記画像を分類した画像分類情報と、撮影時に検出された非画像関連情報と、広告を提供する広告主の要望情報とに基づいて前もって記憶された広告群の内から広告を選択し、前記選択された広告が付加される広告付き画像を提供することにある。
【発明の効果】
【０００９】
上述したように本発明により撮影前または撮影後に写真そのものを分類する撮影前後に設定される情報と、ＧＰＳ情報、撮影日、明るさ等の撮影時に検出される情報と、撮影者乃至は観察者の個人情報に基づいて広告を選択するので広告主にとっても適切な広告が写真に付加され、広告を付加することによりプリント代を補助するメリットを撮影者並びに観察者は享受することができた。
【発明を実施するための最良の形態】
【００１０】
図１は、本発明の広告付加装置の概略構成を示す。１は広告コンテンツマッチングシステム装置、２は撮影者並びに観察者が画像を入力し転送させるパーソナルコンピューターや携帯電話機等であるクライアント端末を示し、不図示のインターネット等のネットワークを介して広告コンテンツマッチングシステム装置１とクライアント端末２は接続されている。広告コンテンツマッチングシステム装置１は、３で示す画像サーバ、４で示す顧客管理サーバ、５で示す広告コンテンツサーバ、６で示すマッチングシステムで構成されている。７は画像サーバ３に保管された画像と広告コンテンツサーバ５に保管された広告とを合成する合成システムを示し、８は合成システム７で合成された広告付き画像をプリントするプリントシステムを示す。
【００１１】
画像サーバ３には画像を保管した９で示す画像データベースと、画像の内容を分類した画像分類情報を含む画像分類情報データベースを示す１０と非画像関連情報データベース１１を備える。また、顧客管理サーバ４には１２で示す、撮影者の個人属性を備えた撮影者属性データベースと、１３で示す撮影者が撮影した画像を観察する観察者の個人属性を備えた観察者属性データベースと、更に１４で示す観察者が団体である場合に観察者グループの観察者団体属性データベースを備える。また広告コンテンツサーバ５には、１５で示す広告主の要望事項を記憶した広告ターゲットデータベースと１６で示す１つ又は複数の広告データを格納する広告コンテンツデータベースとを備え、広告コンテンツデータベース１６は広告ターゲットデータベース１５のターゲットによって分類されているが、広告コンテンツは１つ又は複数の広告ターゲットデータに対応している。広告マッチングサービスを管理するマッチングシステム６を中心として、撮影者乃至は観察者がネットワークを介して画像を格納する画像サーバ３内の画像データベース９及び、撮影者乃至は観察者の個人情報を登録する顧客管理サーバ４には撮影者属性データベース１２と、観察者属性データベース１３と、観察者がグループである場合の観察者グループ属性データベース１４に接続されており、広告コンテンツサーバ５からの要求に応じてマッチングすることができ、マッチングされたデータはネットワークによって合成システム７で画像と広告コンテンツが合成されたデータが、プリントシステム８へと伝達することができる。なお図１では、合成システム７の後にプリントシステム８が接続されているが、マッチング後に合成するのではなくプリント後に広告コンテンツを付加してもよい。例えば、インクジェットプリンターで画像をプリント後に、広告コンテンツをプリントされた画像に再プリントしてもよい。
【００１２】
広告コンテンツマッチングシステム１に接続するクライアント端末２は、パーソナルコンピューターやカメラ付き携帯電話等のインターネットに接続できる端末を指し、今後送信機能付きデジタルカメラや、デジタルＴＶ等のネットワーク接続が可能な端末を全て対象としている。
【００１３】
画像サーバ３とは、画像データベース９及び画像分類情報データベース１０及び非画像関連情報データベース１１で構成され、撮影者乃至は観察者並びにクライアント端末への入力を代行するユーザーのクライアント端末２から不図示のインターネット等のネットワークを介して受け取った画像データに対して画像データ処理を行い画像データベース９に格納される。または、画像データベース内に格納後に画像処理をしてもよい。
【００１４】
画像分類情報データベース１０とは、撮影者乃至は観察者が撮影前または撮影後に写真そのものを分類し設定する情報であり、写真の内容を特定するための１つ以上のキーワードを持つ言語及び数字で構成されるタグ情報を格納している。例えば画像データに対して「海」「サーフィン」「晴れ」「きもちいい」等の１つ以上のタグ情報として表され格納することができる。なお、前記画像データは、ＷＷＷ上に設けられたサイト上での観察も考えられ、撮影者乃至は観察者だけではなく画像データを観察した１人以上の第３者が設定することができ、画像内容をいろいろな内容で捉えることができる。
【００１５】
非画像関連情報データベース１１とは、ＧＰＳ情報、撮影日時、明度等の撮影時に設定される情報でありＥｘｉｆ情報を含んでいる。なお、Ｅｘｉｆ情報には、ファイル名、ファイルの種類、写真の解像度、撮影日時、メーカー名、モデル名、イメージセンサー形式、焦点面の解像度、レンズ、作者名、撮影者の著作権、写真の説明、露出プログラム、露出方式、測光方式、絞り値、最小Ｆ値、シャッター速度、露出補正、ホワイトバランス、光源、ＩＳＯ感度、感度調整、フラッシュ、フラッシュ強度、焦点距離、デジタルズーム、シャープネス、コントラスト、彩度、輝度値、露出インデックス、被写体距離、温度、ＧＰＳ経度、ＧＰＳ緯度、ＧＰＳ高度、ＧＰＳ時間、ＧＰＳ測位に使った衛星信号、ＧＰＳ測位方法、ＧＰＳ測位の信頼性、ＧＰＳ撮影した方向の単位、ＧＰＳ撮影した方向を含んでいる。
【００１６】
顧客管理サーバ４は、撮影者属性データベース１２、観察者属性データベース１３、観察グループデータベース１４から構成されている。撮影者乃至は観察者並びにクライアント端末への入力を代行するユーザーのクライアント端末２から画像データをインターネット等のネットワークを介して受け取る工程において前記撮影者乃至は観察者の氏名・住所・年齢・性別・国籍・電話番号・メールアドレス・最終学歴・家族構成・配偶者情報・住居形態・趣味嗜好・勤務先情報やその他アンケート項目を入力し保管する処理を撮影者属性データベース１２並びに観察者属性データベース１３が行う。また、観察者が一人以上の場合は、団体などの属性情報を入力させ保管を観察グループデータベース１４が行う。
【００１７】
マッチングシステム６を図２のフローチャートに基づいて説明する。前述したように画像サーバ３と顧客管理サーバ４と広告コンテンツサーバ５のデータをマッチングして適した広告を選択するものである、本説明は、広告主側が広告要望情報を設定する場合である。まず撮影者からクライアント端末２を介して画像、例えば東京の高校野球予選の写真をアップロードし、Ｓ１に示すように画像データベース９に画像を格納して後、Ｓ２に示すように画像分類情報データベース１０に「野球」「高校」と撮影者が入力する。次にＳ３で示すように非画像関連情報データベース１１にはカメラからＧＰＳ情報を通して「東京都」が入力される。顧客管理サーバ４には、Ｓ４で示すように、この写真が贈呈用と撮影者個人用とで分別し、贈呈用の場合は、例えばこの写真を福岡に住む孫に送るので、Ｓ５で示すように観察者属性データベース１３に「福岡市」のデータが入力される。Ｓ６で示すように広告主が「福岡のプロ野球球団○○」であった場合、広告ターゲットデータベース１５には広告主が設定した要望情報が格納され、観察者属性情報が「福岡市」、画像分類情報を「野球」、を入力すると、Ｓ７に示すように対象となる観察者が選択され、Ｓ８で示すように広告コンテンツデータベース１６から「福岡のプロ野球球団〇〇」の広告が選択される。
また、Ｓ４で撮影者個人用の場合は撮影者属性データベース１２にＳ９が示すように「６０歳」のデータが入力される。広告主が「○○温泉会社」であった場合、Ｓ１０は、広告ターゲットデータベース１５に撮影者属性情報が「東京」、画像分類情報が「野球」を入力すると、Ｓ１１に示すように撮影者情報から対象者を選択し、Ｓ１２に示すように広告コンテンツデータベース１６から「○○温泉」の広告が選択される。
【００１８】
また同様にマッチングシステム６を図３のフローチャートに基づいて説明する。前述したように画像サーバ３と顧客管理サーバ４と広告コンテンツサーバ５のデータをマッチングして適した広告を選択するものである、本説明は、撮影者が広告要望情報を設定する場合である。まず撮影者からクライアント端末２を介して画像、例えば東京の高校野球予選の写真をアップロードし、Ｓ１に示すように画像データベース３に画像を格納して後、Ｓ２に示すように画像分類情報データベース１０に「野球」「高校」と撮影者が入力する。次にＳ３で示すように非画像関連情報データベース１１にはカメラからＧＰＳ情報を通して「東京都」が、日付データが「夏」が入力される。顧客管理サーバ４には、Ｓ４で示すように、この写真が贈呈用と撮影者個人用とで分別し、贈呈用の場合は、例えばこの写真を福岡に住む孫に送るので、Ｓ５で示すように観察者属性データベース１３に「福岡市」のデータを入力する。Ｓ６に示すように広告コンテンツサーバ５の広告ターゲットデータベース１５には「福岡市」「野球」を入力すると、Ｓ７に示すように広告コンテンツデータベース１６から「福岡のプロ野球球団〇〇」の広告が選択される。
またＳ４で撮影者個人用の場合は撮影者属性データベース１２に「６０歳」のデータが入力される。S９に示すように撮影者の要望情報が広告ターゲットデータベース１５に「東京」「温泉」を入力すると、Ｓ１０に示すよう広告コンテンツデータベース１６から「××温泉」の広告が選ばれる。また、この写真が撮影者個人用でもあり、孫への贈呈用でもある場合は、撮影者個人用には場合は「××温泉」の広告が、孫への贈呈用である場合「福岡のプロ野球球団〇〇」の広告がこの写真に付加される。
【００１９】
本発明により、複数の広告を含む広告群を記憶した広告付加装置で、撮影者によって撮影された撮影者乃至は観察者の個人情報と、撮影前または撮影後に写真そのものを分類し設定する情報と、撮影時に検出された非画像関連情報と、広告を提供する広告主の要望情報とに基づいて前記広告群の内から広告を選択し、前記選択された広告を前記画像に付加する広告付加装置を提供することで、例えば、撮影者乃至は観察者が若年者で、タグ情報を「海」や「サーフィン」と設定し、ＧＰＳ情報で撮影場所の緯度経度が九州地域に相当する場合には広告主がサーフィンのサーフショップの広告で九州の支店を示す広告をこの写真に付加することで、広告主にとっても九州の顧客、または九州で良い思い出を作った顧客の可能性があり、好都合な広告となり、プリント料金を広告主が補助しても広告主にとって利することになり、撮影者乃至は観察者にとっても安価にプリントができることになる。
【００２０】
同様に、撮影者が主婦で、観察者が前記主婦の子供でありＥｘｉｆ情報から検出された写真の撮影日がクリスマスであり、ＧＰＳ情報が渋谷地域であった場合で、写真の画像内容を表すタグ情報が「子供」の場合には、広告主は子供向けの玩具メーカーで、渋谷近辺の店舗を示す広告を写真に付加することで、広告主にとって新規顧客にアプローチすることができ、また子供にとってもクリスマスの良い思い出を残すことができ、好都合な広告となり、プリント料金を広告主が補助しても広告主にとって利することになり、撮影者乃至は観察者にとっても安価にプリントができることになる。
【００２１】
また撮影者が大学生で、観察者グループが美食サークルの団体でありタグ情報から検出された画像分類情報が○○大学であり、Ｅｘｉｆ情報から検出されたＧＰＳ情報が渋谷であった場合、渋谷の○○大学キャンパスの近辺の飲食店舗を示す広告をこの写真に付加することで、広告主にとって新規顧客獲得につなげることができ、また大学生にとっても安価なプリント代で思い出を残す事ができる。
【００２２】
また撮影者が父親で、観察者が息子の場合、各個人属性データベースから父親は田舎の農家で、息子は都会に住んでおり、父親が設定したタグ情報から検出された画像分類情報は「田植え」であり田植えの風景の写真であることがわかる、Ｅｘｉｆ情報から検出されたＧＰＳ情報が田舎地方であった場合、広告主は田舎の農家であり地元のお米の宣伝をすることができる。また、父親にとっては都会に住む息子に対して田舎の美味しい食事を薦めることができ、田舎の写真と供に地元の食材を息子に広告することができ、息子は地元の食材を取り寄せることができる。
【００２３】
撮影者が母親で、観察者が娘の場合、撮影者属性データベース及び観察者属性データベースから２人は親子と解析でき、且つ、母親は東京に住んでいて、娘は福岡に住んでいる情報が分かる。非画像関連情報であるＥｘｉｆ情報から母親が撮影した画像が○○通信会社の機種であった場合、広告主は○○通信会社の競合である××通信会社であり、家族割引サービスの入会を勧めることができ新規顧客獲得を行うことができる、母親にとっても安価なプリント代でプレゼントすることができ、娘にとっては○○通信会社の家族割引プランを知ることにより通信料を安くすることができる。
【図面の簡単な説明】
【００２４】
【図１】本発明に係る
【図２】本発明に係る
【図３】本発明に係る
【符号の説明】
【００２５】
１ …広告コンテンツマッチングシステム装置
２ … クライアント端末
３ … 画像サーバ
４ … 顧客管理サーバ
５ … 広告コンテンツサーバ
６ … マッチングシステム
７ … 合成システム
８ … プリントシステム
９ … 画像データベース
１０ … 画像分類情報データベース
１１ … 非画像関連情報データベース
１２ … 撮影者属性データベース
１３ … 観察者属性データベース
１４ … 観察者グループデータベース
１５ … 広告ターゲットデータベース
１６ … 広告コンテンツデータベース
【図２】
2007322879.tif 000003
【図３】
2007322879.tif 000004
【図１】
2007322879.tif 000005